(57)【要約】【課題】スクリーンを形材に取着する連結部材の形材からの外れを防止し得るスクリーン取付装置を提供する。【解決手段】連結部材１７から突出する一対の嵌合片２２ａ，２２ｂと、該嵌合片２２ａ，２２ｂの外側において框２に形成された係止部２４ａ，２４ｂとを嵌合する。【選択図】　　　　図３
2004124499.tif 000002
【特許請求の範囲】
【請求項１】
一対の框をパンタグラフ装置で連結するとともに、該パンタグラフ装置の両側に配設したスクリーンの両端部を連結部材の両側部に取着し、前記連結部材を前記框に弾性的に嵌着し、前記パンタグラフ装置を伸縮させることにより、前記スクリーンを伸縮して開閉可能とした横引スクリーンにおいて、
前記連結部材から突出する一対の嵌合片と、該嵌合片の外側において前記框に形成された係止部とを嵌合することを特徴とする横引スクリーンのスクリーン取付装置。
【請求項２】
前記嵌合片の先端部に鏃状の嵌合突部を設け、前記係止部は該嵌合突部と弾性的に係合する形状としたことを特徴とする請求項１記載の横引スクリーンのスクリーン取付装置。
【請求項３】
前記スクリーンをジグザグ状に折畳み可能とし、前記連結部材の両側部に生地押さえを挿通可能とした係合部を設け、前記生地押さえのスクリーン側の側面に前記スクリーンの端部を取着し、前記連結部材には前記係合部の開口部に突出して前記生地押さえの抜け止めとなる突条を設けたことを特徴とする請求項１又は２記載の横引スクリーンのスクリーン取付装置。
【請求項４】
前記係合部は、前記連結部材の両側部を１８０度折り返した折り曲げ片で形成し、該折り曲げ片の先端部を楔状としたことを特徴とする請求項３記載の横引スクリーンのスクリーン取付装置。
【発明の詳細な説明】
【０００１】
【発明の属する技術分野】
この発明は、横引プリーツスクリーン、アコーデオンカーテン等のスクリーンを価値に取着する取付装置に関するものである。
【０００２】
【従来の技術】
特許文献１に記載された折畳ドアは垂直枠間に表面シートが伸縮可能に配設され、かつ垂直枠間に伸縮枠が配設されている。そして、一方の垂直枠をレールに沿って移動させることにより、表面シートを引き出しあるいは畳み込み可能となっている。
【０００３】
一方の垂直枠には伸縮枠の開閉に際し、補助力を付与する定荷重バネが設けられている。そして、垂直枠を中間位置から表面シートの引き出し方向に移動させれば、その垂直枠に表面シートの引き出し方向への補助力が作用して、垂直枠を全閉位置まで移動させたとき、同垂直枠をその位置に保持する。
【０００４】
また、垂直枠を中間位置から表面シートの畳み込み方向に移動させれば、その垂直枠に表面シートの畳み込み方向への補助力が作用して、垂直枠を全開位置まで移動させたとき、同垂直枠をその位置に保持する。
【０００５】
上記のような折畳ドアに類似する横引プリーツスクリーンおいて、伸縮枠の両側に２枚のスクリーンを配設する構成とした場合におけるスクリーンの垂直枠への取付装置の一例を図４に示す。
【０００６】
スクリーン３１はジグザグ状に折畳み可能に形成され、その端部には生地押さえ３２がホチキス止めされている。そして、生地押さえ３２が合成樹脂で成形された連結部材３３の係合部３４内に同連結部材３３の一端から挿通される。
【０００７】
次いで、垂直枠を構成する形材３５にあらかじめ伸縮枠が取着され、その形材３５に側方から連結部材３３が嵌合される。このような構成により、スクリーン３１が形材３５に取着される。
【０００８】
【特許文献１】
特公昭５９−２１４３８
【０００９】
【発明が解決しようとする課題】
上記のような取付装置では、連結部材３３の上下方向中間部において、伸縮枠を挿通するための切り欠き部３６が形成され、この部分において剛性が低下している。このため、連結部材３３の両端部がスクリーン３１により引っ張られると、連結部材３３の嵌合片３７が矢印Ａ方向に撓み、形材３５から外れやすいという問題点がある。
【００１０】
また、連結部材３３の係合部３４の形状から、生地押さえ３２はスクリーン３１の先端部において、後続のスクリーンに面する側に取着する必要がある。生地押さえ３２をスクリーン３１の端部にホチキス止めする場合には、生地押さえ３２をスクリーン３１の上方に重ねた状態とすると作業性がよい。
【００１１】
このため、生地押さえ３２をホチキス止めする際には、スクリーン３１の端部の折り返しを伸ばしてその上面に生地押さえ３２をあてがう必要があり、その作業が煩雑である。
【００１２】
この発明の目的は、スクリーンを形材に取着する連結部材の形材からの外れを防止し得るスクリーン取付装置を提供することにある。また、形材からの連結部材の外れを防止し、かつ連結部材に対するスクリーンの取付作業性を向上させ得るスクリーン取付装置を提供することにある。
【００１３】
【課題を解決するための手段】
請求項１では、一対の框をパンタグラフ装置で連結するとともに、該パンタグラフ装置の両側に配設したスクリーンの両端部を連結部材の両側部に取着し、前記連結部材を前記框に弾性的に嵌着し、前記パンタグラフ装置を伸縮させることにより、前記スクリーンを伸縮して開閉可能とした横引スクリーンにおいて、前記連結部材から突出する一対の嵌合片と、該嵌合片の外側において前記框に形成された係止部とを嵌合する。
【００１４】
請求項２では、前記嵌合片の先端部に鏃状の嵌合突部を設け、前記係止部は該嵌合突部と弾性的に係合する形状とした。
請求項３では、前記スクリーンをジグザグ状に折畳み可能とし、前記連結部材の両側部に生地押さえを挿通可能とした係合部を設け、前記生地押さえのスクリーン側の側面に前記スクリーンの端部を取着し、前記連結部材には前記係合部の開口部に突出して前記生地押さえの抜け止めとなる突条を設けた。
【００１５】
請求項４では、前記係合部は、前記連結部材の両側部を１８０度折り返した折り曲げ片で形成し、該折り曲げ片の先端部を楔状とした。
【００１６】
【発明の実施の形態】
図１及び図２に示す横引プリーツスクリーンは、固定框１と移動框２との間に２枚のスクリーン３ａ，３ｂが配設される。前記移動框２は、ハンガーレール４に沿って移動可能に支持され、前記スクリーン３ａ，３ｂはジグザグ状に伸縮可能に形成される。従って、移動框２を固定框１から遠ざかる方向に移動させると、スクリーン３ａ，３ｂが引き出され、移動框２を固定框１に近づく方向に移動させると、スクリーン３ａ，３ｂが両框１，２間に畳み込まれる。
【００１７】
前記スクリーン３ａ，３ｂ間には、互いの離間を防止する間隔保持部材５が所定間隔ごとに複数箇所設けられている。また、移動框２の前後両側面には取手６が設けられている。
【００１８】
前記スクリーン３ａ，３ｂ間において、前記固定框１と移動框２との間には２組のパンタグラフ装置７ａ，７ｂが配設されている。
前記パンタグラフ装置７ａは、２本の連接軸８ａ，８ｂがその中間部で回動可能に連結されている。
【００１９】
前記連接軸８ａの一端は、前記固定框１の上部に固定された軸受部材９に回動可能に支持されている。前記連接軸８ｂの一端は、固定框１の下部に上下方向に移動可能に支持された軸受部材１０に回動可能に支持されている。
【００２０】
前記パンタグラフ装置７ｂは、２本の連接軸１１ａ，１１ｂがその中間部で回動可能に連結されている。
前記連接軸１１ａの一端は、前記パンタグラフ装置７ａの連接軸８ｂの他端に回動可能に連結され、前記連接軸１１ｂの一端は、前記パンタグラフ装置７ａの連接軸８ａの他端に回動可能に連結されている。
【００２１】
前記連接軸１１ｂの他端は、前記移動框２の上部に固定された軸受部材１２に回動可能に支持されている。前記連接軸１１ａの他端は、移動框２の下部に上下方向に移動可能に支持された軸受部材１３に回動可能に支持されている。
【００２２】
従って、移動框２を固定框１に向かって移動させれば、軸受部材１０，１３が固定框１及び移動框２に沿って下方へ移動して、パンタグラフ装置７ａ，７ｂが畳まれる。
【００２３】
また、移動框２を固定框１から離間する方向に移動させれば、軸受部材１０，１３が固定框１及び移動框２に沿って上方へ移動して、パンタグラフ装置７ａ，７ｂが引き伸ばされる。
【００２４】
前記パンタグラフ装置７ａには、開閉補助装置が取着されている。前記開閉補助装置は、ワイヤ１４ａ，１４ｂとコイルスプリング１５ａ，１５ｂとから構成される。
【００２５】
前記ワイヤ１４ａは、その一端が前記連接軸８ｂと同１１ａとの連結部において、同連接軸８ｂの端部に固定される。また、ワイヤ１４ａの他端部は、前記軸受部材９に回転可能に支持されたプーリーに掛装されて固定框１に沿って下方へ案内され、軸受部材１０に回転可能に支持されたプーリーに掛装されて固定框１に沿って上方へ案内され、コイルスプリング１５ａの下端に取着されている。
【００２６】
前記コイルスプリング１５ａの上端は、連結ワイヤを介して軸受部材９に接続されている。
前記ワイヤ１４ｂは、その一端が前記連接軸８ａと同１１ｂとの連結部において、同連接軸８ａの端部に固定される。また、ワイヤ１４ｂの他端部は、前記軸受部材１０に回転可能に支持されたプーリーに掛装されて固定框１に沿って上方へ案内され、軸受部材９に回転可能に支持されたプーリーに掛装されて固定框１に沿って下方へ案内され、コイルスプリング１５ｂの上端に取着されている。
【００２７】
前記コイルスプリング１５ｂの下端は、連結ワイヤを介して軸受部材１０に接続されている。
前記連接軸８ａ，８ｂ，１１ａ，１１ｂ及びワイヤ１４ａ，１４ｂは、前記間隔保持部材５に形成された挿通孔２６にそれぞれ挿通されている。
【００２８】
このように構成された開閉補助装置では、連接軸８ａ，８ｂの挟角αが所定角度以下であれば、コイルスプリング１５ａ，１５ｂの付勢力が連接軸８ａ，８ｂの挟角αを小さくする方向、すなわち移動框２を固定框１に向かって移動させて、スクリーン３ａ，３ｂを畳み込む方向に作用する。
【００２９】
また、連接軸８ａ，８ｂの挟角αが所定角度以上であれば、コイルスプリング１５ａ，１５ｂの付勢力が連接軸８ａ，８ｂの挟角αを大きくする方向、すなわち移動框２を固定框１から離れる方向に向かって移動させて、スクリーン３ａ，３ｂを引き出す方向に作用する。
【００３０】
このような動作により、開閉補助装置はスクリーン３ａ，３ｂの引き出し操作及び畳み込み操作時に、移動框２に補助力を付与する。
前記連接軸１１ａの一端と、連接軸１１ｂの一端とは補助コイルスプリング２７を介して接続される。この補助コイルスプリング２７は、移動框２を固定框１から離れる方向に付勢する補助力の不足を補うように動作する。
【００３１】
前記移動框２には、ダンパー装置１６が設けられている。そして、前記移動框２の移動速度が所定速度以下に規制されるようになっている。
次に、前記スクリーン３ａ，３ｂを前記固定框１あるいは移動框２に取着するための取付装置を説明する。
【００３２】
図３に示すように、前記スクリーン３ａ，３ｂは連結部材１７を介して前記移動框２を構成する形材１８に取着される。
前記連結部材１７は合成樹脂で形成され、その両側にはスクリーン３ａ，３ｂ側に向かって１８０度折り返された折り曲げ片１９ａ，１９ｂが形成されている。前記折り曲げ片１９ａ，１９ｂの先端部は、スクリーン３ａ，３ｂ側を斜面とした楔状に形成されている。
【００３３】
前記折り曲げ片１９ａ，１９ｂの開口部近傍において、前記連結部材１７には同開口部をほぼ覆うようにスクリーン３ａ，３ｂに向かって突出する突条２０がそれぞれ形成されている。
【００３４】
前記スクリーン３ａ，３ｂの端部には、生地押さえ２１がそれぞれホチキス止めされている。そして、生地押さえ２１を連結部材１７の一端から前記折り曲げ片１９ａ，１９ｂと突条２０とで形成される空間に挿通することにより、スクリーン３ａ，３ｂが連結部材１７に取着される。
【００３５】
従って、折り曲げ片１９ａ，１９ｂ及び突条２０とで、生地押さえ２１を保持する係合部が構成される。
前記スクリーン３ａ，３ｂの端部には、前記形材１８に面する側に生地押さえ２１が取着されている。そして、スクリーン３ａ，３ｂの端部は生地押さえ２１と折り曲げ片１９ａ，１９ｂの先端側の内側面との間から、折り曲げ片１９ａ，１９ｂの先端を経て外部へ案内される。
【００３６】
前記連結部材１７の両側部には、前記形材１８の側辺間に突出する一対の嵌合片２２ａ，２２ｂが形成されている。前記嵌合片２２ａ，２２ｂの先端部外側には、鏃状の嵌合突部２３ａ，２３ｂが形成され、形材１８の内側面に形成されて係止部２４ａ，２４ｂに係合可能となっている。
【００３７】
前記形材１８には、前記嵌合突部２３ａ，２３ｂが係止部２４ａ，２４ｂに係合するとき、嵌合片２２ａ，２２ｂ間において前記連結部材１７に当接する支持片２５が形成されている。
【００３８】
前記連結部材１７の中間部には、前記移動框２に取着されるパンタグラフ装置７ａ，７ｂを挿通するための切り欠き部３０が形成されている。なお、固定框１においても同様な構成でスクリーン３ａ，３ｂが取着される。
【００３９】
上記のようなスクリーン取付装置でスクリーン３ａ，３ｂを形材１８に取着するには、まずスクリーン３ａ，３ｂの端縁に生地押さえ２１をホチキス止めする。
【００４０】
次いで、生地押さえ２１を連結部材１７の折り曲げ片１９ａ，１９ｂ内にそれぞれ挿通すると、スクリーン３ａ，３ｂが連結部材１７に取着される。そして、連結部材１７の嵌合片２２ａ，２２ｂを形材１８内に挿入して、嵌合突部２３ａ，２３ｂを係止部２４ａ，２４ｂに係合させると、連結部材１７が形材１８に取着される。
【００４１】
上記のように構成された横引プリーツスクリーンのスクリーン取付装置では、次に示す作用効果を得ることができる。
（１）連結部材１７の嵌合片２２ａ，２２ｂは、その両外側に位置する形材１８の内側面に係合している。従って、スクリーン３ａ，３ｂに作用する引張り力により、連結部材１７の嵌合片２２ａ，２２ｂが矢印Ｂ方向に撓もうとしても、その撓みが阻止され、連結部材１７の形材１８からの外れを確実に防止することができる。
（２）折り曲げ片１９ａ，１９ｂと突条２０とで形成される係合部内に生地押さえ２１を挿入し、その生地押さえ２１と折り曲げ片１９ａ，１９ｂの先端側との間からスクリーン３ａ，３ｂを係合部外に案内する構成とした。従って、生地押さえ２１のスクリーン３ａ，３ｂ側の側面に同スクリーン３ａ，３ｂの端部をホチキス止めすることができる。そして、スクリーン３ａ，３ｂの端部の折り返しを伸ばすことなく、生地押さえ２１をスクリーン３ａ，３ｂ上にあてがった状態でホチキス止めを行うことができる。この結果、ホチキス止めの作業性を向上させることができる。
（３）折り曲げ片１９ａ，１９ｂの先端部を楔状としたので、その先端部でスクリーン３ａ，３ｂを確実に折り曲げて、係合部外へ案内することができる。
【００４２】
上記実施の形態は、次に示すように変更することもできる。
・横引プリーツカーテンの他、アコーデオンカーテンに実施してもよい。
・生地押さえ２１は、ホチキス止め以外に縫製によりスクリーンに取着してもよい。
【００４３】
【発明の効果】
以上詳述したように、この発明はスクリーンを形材に取着する連結部材の形材からの連結部材の外れを防止し得るスクリーン取付装置を提供することができる。また、形材からの連結部材の外れを防止し、かつ連結部材に対するスクリーンの取付作業性を向上させ得るスクリーン取付装置を提供することができる。
【図面の簡単な説明】
【図１】横引プリーツカーテンを示す正面図である。
【図２】横引プリーツカーテンを示す平面図である。
【図３】第一の実施の形態を示す断面図である。
【図４】従来例を示す正面図である。
【符号の説明】
１　　　　　框（固定框）
２　　　　　框（移動框）
３ａ，３ｂ　　　　　スクリーン
７ａ，７ｂ　　　　パンタグラフ装置
１７　　　　連結部材
２２ａ，２２ｂ　　　　嵌合片
２４ａ，２４ｂ　　　　係止部
【図１】
2004124499.tif 000003
【図２】
2004124499.tif 000004
【図３】
2004124499.tif 000005
【図４】
2004124499.tif 000006